(57)【要約】  【課題】  コップの使用による支持部材とコップの着脱部の劣化を防止できるコップ支持構造を提供すること。  【解決手段】  吸盤１により壁面２等の取付面に固着される支持部材３と、この支持部材３に対し、コップ４を磁石５を用いて着脱自在に支持させるように構成してある。【選択図】        図１
2007307194.tif 000002
【特許請求の範囲】
【請求項１】
吸盤により壁面等の取付面に固着される支持部材と、この支持部材に対し、コップを磁石を用いて着脱自在に支持させるように構成してあることを特徴とするコップ支持構造。
【請求項２】
前記吸盤と支持部材が一体に形成されている請求項１に記載のコップ支持構造。
【発明の詳細な説明】
【技術分野】
【０００１】
この発明は、吸盤により壁面等の取付面に着脱自在に支持させるコップの支持構造に関するものである。
【背景技術】
【０００２】
吸盤により例えば洗面室の壁面に固着される支持部材を設け、コップ底面に設けた凹部に支持部材上面に設けた凸部を係合させる構造を用いて、前記支持部材に対し、コップを着脱自在に支持させるように構成したものがある。
【発明の開示】
【発明が解決しようとする課題】
【０００３】
しかし、上記構成のコップ支持構造において、支持部材とコップを凹凸構造の機械的な着脱手段で着脱自在に強固に取り付けるといったものでは、使用による着脱部の磨耗により着脱できなくなるおそれがある。
【０００４】
この発明は、上述の事柄に留意してなされたもので、その目的は、コップの使用による支持部材とコップの着脱部の劣化を防止できるコップ支持構造を提供することである。
【課題を解決するための手段】
【０００５】
上記目的を達成するために、この発明のコップ支持構造は、吸盤により壁面等の取付面に固着される支持部材と、この支持部材に対し、コップを磁石を用いて着脱自在に支持させるように構成してある。
【０００６】
この発明において、磁石とは、「鉄を吸引する性質を示す物体のこと」（新村  出編  広辞苑  第三版）である。そして、この発明で用いる前記磁石によって吸引される物質としては、一般に知られているように、前記磁石によって形成される磁場の中に置くと、特に強く磁化する鉄やニッケルなどの物質（強磁性体）を挙げることができ、コストや量的な面から、鉄を使用するのが最も好ましい。
【０００７】
前記コップは、家庭、職場、ホテル、旅館、自動車や列車等の乗物、その他、山、海等のアウトドアで使用される使用頻度の高い日用品である。
この発明における壁面等の取付面とは、吸盤が吸着しうる材料よりなり吸盤により支持部材が固着できるような面を意味しており、この取付面として、例えば洗面室の壁面、テーブルの上面、歯科診療室に設けられているうがい用のコップの載置面や乗物内に付設されているダッシュボードの平面、垂直面あるいは傾斜面等、コップが使用されるあらゆる場所での垂直面や水平面あるいは傾斜面等の支持部材固着可能な面を含んでいる。
【発明の効果】
【０００８】
この発明では、吸盤により壁面等の取付面に固着される支持部材とコップを磁石によって分離・合体（支持）する構造を採用しているので、磁石による磁力に逆らってコップを支持部材から容易に離脱できるとともに、合体時には磁石による吸引力に任せるだけでよく、凹凸構造等の機械的な着脱手段を用いるときに生じていた凸部を凹部に嵌込むときの動作の煩わしさを解消でき、取り付け取り外し易く使用時において利便性がある。
しかも、支持部材とコップを凹凸構造等の機械的な着脱手段で着脱自在に強固に取り付けるといったものでは使用による着脱部の磨耗により着脱できなくなるおそれがあるという事態をこの発明では回避できる。すなわち、この発明では、磁石の磁力によってコップから支持部材を分離させたり、磁石による吸引力に任せることにより、コップを支持部材に合体することができるので、着脱部の磨耗を考慮することなく長期にわたってコップと支持部材を安定的に使用できる。
【０００９】
その上、この発明では、例えば使用する磁石の大きさを吸引力が最大限発揮できるようコップの底面の広さに応じて調整可能に設定できるので、小さなコップは支持部材と強く保持されてコップが支持部材から外れ難くなっているが、大きなコップは支持部材から外れ易くなるといった事態を回避できる。すなわち、この発明では、コップの大きさにかかわらず、吸引力が最大限発揮できるよう磁石の大きさを例えばリング状にするといったように適宜調整できるので、支持部材に対し、使用頻度の高いコップを常に安定的に支持させることが可能になる。
【００１０】
また、この発明は、例えばテーブルにコップを置くときに適用でき、強い磁力によってコップが支持部材に合体しているので、例えばテーブル上のコップに多少の外力が加わっても、コップを直接テーブル上に置いている場合に比してコップが転倒する割合を減少させることができる。また、洗面室のトレイにコップを収容しきれないような場合でも、洗面室の壁面に支持部材を介してコップを安定的に支持させることができる。さらに、自動車内の席の近辺のダッシュボードにコップ支持用の大きな凹所を設ける必要はなくなるというように、使用頻度の高いコップを固着可能なあらゆる面に固着された支持部材に支持させることができ、利便性を向上できる。
【発明を実施するための最良の形態】
【００１１】
以下、この発明の実施の形態を、図を参照しながら説明する。なお、それによってこの発明は限定されるものではない。
【００１２】
図１〜図８は、この発明の一つの実施の形態を示し、図１は、コップが支持構造によって支持されている状態を示し、図２〜６は、吸盤付の支持構造の一部を示し、図７は、コップとコップの底部に嵌込まれる磁石を示し、図８は、コップの底部の下面を示す。
【００１３】
図１〜図８において、コップ支持構造は、吸盤１により壁面２に固着される支持部材３と、この支持部材３に対し、コップ４を磁石（マグネット）５を用いて着脱自在に支持させるように構成してなる。
【００１４】
コップ４は、合成樹脂製で、大径の上方開口部６と、これより小径の底面部７と、上方開口部６と底面部７を繋ぐテーパ形状の周側面部８で構成されている。そして、底面部７は下面側に下方に開口する平面視円形の凹所９を有する。１０は、凹所９によって形成された環状の脚である。この脚１０は、底面部７の水平な下面ａに対して垂直な内周面ｂを有している。
一方、前記磁石（マグネット）５はリング状に構成されており、図７に示すように、外周Ａが脚１０の内周Ｂより若干大きく設定されており、磁石（マグネット）５を強制的に凹所９内に嵌込んで底面部７の下面ａに磁石（マグネット）５の対向面５ａを当接させるまで磁石（マグネット）５を内周面ｂ内を摺動させる。この場合、接着剤を凹所９の内面に塗布してもよい。前記磁石（マグネット）５は、いわゆるラバーマグネットと呼ばれるもので、例えば初心者が自動車運転するときに自動車に貼り付ける初心者マークに使われている素材と同じ素材を使用しており、磁石の粉末を含有したゴム材を所定寸法のリング状形状にして成形されている。これにより、鉄を強い吸引力で持って吸引できる。
【００１５】
前記支持部材３は、吸盤１と、この吸盤１と同一素材で一体成形された支持部本体１１および支持部本体１１に外嵌された鉄製リング体（強磁性体の一例）１２よりなる円盤状の支持部１４とから構成されている。前記吸盤１は、自然状態では、平面視小円形の凹み１３を持つ中央部１ａが盛り上がるように（いわゆるコンタクトレンズの形状に近い形状となるように）構成されており、かつ、中央部１ａが周縁部１ｂよりも若干厚くなっている。吸盤１と支持部本体１１とは吸盤１の中央部１ａを介して繋がっている。すなわち、前記支持部本体１１は、吸盤１の中央部１ａを介して周縁部１ｂとは反対の方向に肉厚を有して連設されている。そして、前記吸盤１および支持部本体１１は、柔軟性を持たせるため、シリコン系のゴム材や軟質塩化ビニール等の合成樹脂よりなる半硬質部材で一体成形により構成されているが、支持部本体１１の厚みの方が吸盤１の周縁部１ｂよりも大であり、そのため、中央部１ａを含む支持部本体１１は吸盤１の周縁部１ｂに比べて硬く構成されうる。支持部本体１１の表面１６は、底面部７の下面ａに対向して位置しており、この表面１６は、若干凹み１３の側へ凹むような緩やかな湾曲形状に設定されている。また、支持部本体１１は、前記鉄製リング体１２がその内周面１７を介して嵌込まれるリング状の溝１９を周面ｍの適宜の位置に有する。溝１９は、図５に示すように、リング状の内側フランジ１９ａと外側フランジ１９ｂ間内に形成される。さらに、前記鉄製リング体１２が嵌込まれる溝１９は、鉄製リング体１２を溝１９へ嵌込み易くするために、内側フランジ１９ａよりも外側フランジ１９ｂの径方向における突出長さを若干短くするとともに、外側フランジ１９ｂの環状の周縁部分ｆが軸Ｐ方向外側にいくにつれ先細りになるようなテーパ曲面に形成されている。
また、吸盤１は、その周縁部１ｂに連設された略舌状の引っ張り片１５を有する。この引っ張り片１５は、壁面２に装着した吸盤１を壁面２から取り外すために引っ張られるもので、その引っ張りを容易に行える形状になっている。
【００１６】
而して、吸盤１により壁面２に支持部材３を固着し、支持部材３に鉄製リング体１２を設け、これを強固に吸引する磁石（マグネット）５をカッブ４の底面部７の下面ａに設けることにより、コップ４を磁石５と鉄製リング体１２によって支持部材３から分離させたり、支持部材３に合体（支持）させたりする構造を採用しているので、磁石による磁力に逆らってコップ４を支持部材３から容易に離脱できるとともに、合体時には磁石５による吸引力に任せるだけでよく、凹凸構造等の機械的な着脱手段を用いるときに生じていた凸部を凹部に嵌込むときの動作の煩わしさを解消でき、取り付け取り外し易く使用時において利便性がある。
【００１７】
また、支持部材とコップを凹凸構造等の機械的な着脱手段で着脱自在に強固に取り付けるといったものでは使用による着脱部の磨耗により着脱できなくなるおそれがあるという事態をこの発明では回避できる。すなわち、この実施の形態では、磁石５によって支持部材３とコップ４を分離・合体することができるので、着脱部の磨耗を考慮することなく長期にわたってコップ４と支持部材３を安定的に使用できる。
【００１８】
その上、この実施の形態では、コップ４の大きさ、例えばコップ４の底面の広さに応じて磁石（マグネット）５の大きさを調整可能に設定できる。すなわち、磁石（マグネット）５をコップ底面部７の凹所９内に嵌込むことで、結果として、下面ａの外周部分に磁石（マグネット）５を設けたことになる。このように、コップ底面部７の下面ａの円形面積の大きさに応じたリング状の磁石５を設けることにより、下面ａの例えば中央部にしか磁石を設けない場合に比べて吸引力が最大限発揮できる。
【００１９】
また、この実施の形態では、例えばテーブルにコップ４を置くときに適用でき、強い磁力によってコップ４が支持部材３に合体しているので、例えばテーブル上のコップ４に多少の外力が加わっても、コップを直接テーブル上に置いている場合に比してコップ４が転倒する割合を減少させることができる。また、洗面室のトレイにコップ４を収容しきれないような場合でも、洗面室の壁面に支持部材３を介してコップ４を安定的に支持させることができる。さらに、自動車内の席の近辺のダッシュボードにコップ支持用の大きな凹所を設ける必要はなくなるというように、使用頻度の高いコップ４を固着可能なあらゆる面に固着された支持部材３に支持させることができ、利便性を向上できる。
【００２０】
そして、支持部材３と吸盤１とは同一素材で一体成形されているので、例えば支持部材３と吸盤１を別体にして両者を凹凸構造等の機械的な着脱手段で着脱自在に強固に取り付けるといったものでは使用による着脱部の磨耗により着脱できなくなるおそれがあるという事態を回避でき、長期にわたって使用できるとともに、強度的に強く形成できる。そして、この実施の形態では、支持部本体１１と吸盤１を同一素材で一体成形することにより製造上のコストダウンを実現できる。
【００２１】
また、この実施の形態では、前記コップ４の脚１０を吸盤１の周縁部１ｂにできるだけ近接させるよう、脚１０の長さを適宜に設定すれば、コップ５を支持部材３に取り付ける場合に発生する吸盤１を含む支持部材３のねじれに対処できる。すなわち、ねじれが生じたときに、吸盤１Ｋ周縁部１ｂを介して脚１０が間接的に壁面２に当接することによって、吸盤１内に空気が流入するのを防止するため壁面２から外向きに働く力Ｆ（図１に仮想線で示す）を発生させることができ、それによって、吸盤１が容易に壁面２から外れ難くできる。
【００２２】
このように、コップ５のように使用頻度の高い日用品と、吸盤１および吸盤１と同一素材で一体成形された支持部材３を、取り外し、取り付けの動作が簡便、安定的にでき、磨耗を考慮することなく長期的に使用できる磁石（マグネット）５により着脱自可能に構成することにより、利便性を向上できる。  
また、コップ底面部７の下面ａの面積が最大限有効に使えるように磁石（マグネット）５をリング状にし、それによって、下面ａの例えば中央部にしか磁石を設けない場合に比べて吸引力が最大限発揮でき、取り外し、取り付けの動作がより安定的に行える。
【００２３】
なお、上記実施の形態では、コップ５を壁面２に設置する場合を示したが、平面や傾斜面に設置する場合にもこの発明は適用できる。
【００２４】
また、上記実施の形態では、コップ４側に磁石（マグネット）５を設け、支持部材３側に鉄（強磁性体の一例）１２を設けたものを示したが、この発明では、コップ４側に強磁性体を設け、支持部材３側に磁石（マグネット）を設ける場合にも適用できる。
さらに、この発明は、コップ４側と支持部材３側に共に磁石（マグネット）を設ける場合にも適用できる。
【図面の簡単な説明】
【００２５】
【図１】この発明の一実施の形態における使用状態を示す構成説明図である。
【図２】上記実施の形態において、同一素材で一体成形された支持部本体と吸盤を示す斜視図である。
【図３】上記実施の形態において、支持部材に鉄製リング体を嵌込む前の状態を示す図である。
【図４】上記実施の形態における鉄製リング体を嵌込む前の支持部を示す背面図である。
【図５】上記実施の形態における鉄製リング体を嵌込む前の支持部を示す側面図である。
【図６】上記実施の形態における鉄製リング体を嵌込む前の支持部を示す正面図である。
【図７】上記実施の形態における磁石を嵌込む前のコップを示す構成説明図である。
【図８】上記実施の形態におけるコップを示す底面図である。
【符号の説明】
【００２６】
１          吸盤
２          壁面
３          支持部材
４          コップ
５          磁石（マグネット）
【図１】
2007307194.tif 000003
【図２】
2007307194.tif 000004
【図３】
2007307194.tif 000005
【図４】
2007307194.tif 000006
【図５】
2007307194.tif 000007
【図６】
2007307194.tif 000008
【図７】
2007307194.tif 000009
【図８】
2007307194.tif 000010